(57)【要約】【課題】  外出時等においても、ズボンの前の部分が大きく膨らんでしまうことがなく、外観上優れているとともに、歩行動作等に支障を来すことがなく、動きが楽であり、しかも実用上十分な量の尿を吸収保持することが可能な男性用おむつを提供することを課題とする。【解決手段】  人体下腹部の少なくとも男性器の前面を覆うように着用する男性用おむつにおいて、所定量の尿を吸収保持することが可能なように薄く形成された吸収材と、前記吸収材の少なくとも人体と反対側の面を覆う防水性シートとを備え、前記男性用おむつの人体側の面に、男性器の先端を当接又は挿入する開口部を設けるように構成して課題を解決した。【選択図】  図１
2007061363.tif 000002
【特許請求の範囲】
【請求項１】
人体下腹部の少なくとも男性器の前面を覆うように着用する男性用おむつにおいて、
所定量の尿を吸収保持することが可能なように薄く形成された吸収材と、前記吸収材の少なくとも人体と反対側の面を覆う防水性シートとを備え、前記男性用おむつの人体側の面に、男性器の先端を当接又は挿入する開口部を設けたことを特徴とする男性用おむつ。
【請求項２】
前記男性用おむつは、薄い略正方形状に形成されていることを特徴とする請求項１に記載の男性用おむつ。
【請求項３】
前記男性用おむつには、その人体側表面の外周に防水用のフリルを設けたことを特徴とする請求項１又は２に記載の男性用おむつ。
【請求項４】
前記男性用おむつには、前記開口部の下方に水平方向のフリルを上下方向に沿って複数設けたことを特徴とする請求項１乃至３のいずれかに記載の男性用おむつ。
【請求項５】
前記開口部の周囲には、短い円筒状のフリルを形成したことを特徴とする請求項１乃至４のいずれかに記載の男性用おむつ。
【請求項６】
前記男性用おむつには、人体と反対側の面にずれ止め用のテープを貼り付けたことを特徴とする請求項１乃至５のいずれかに記載の男性用おむつ。
【請求項７】
前記男性用おむつの外側に、当該男性用おむつの全体を覆う大サイズのおむつを併用したことを特徴とする請求項１乃至６のいずれかに記載の男性用おむつ。
【請求項８】
前記吸収材は、少なくとも１５０ｍｌの尿を吸収保持することを特徴とする請求項１乃至７のいずれかに請求項１に記載の男性用おむつ。
【発明の詳細な説明】
【技術分野】
【０００１】
この発明は、尿漏れパッド等を含む男性用のおむつに関し、特に男性が外出時等に着用して使用することが可能な男性用おむつに関するものである。
【背景技術】
【０００２】
【特許文献１】特許第３３４５６０８号公報
【０００３】
近年、高齢化社会を迎えつつあり、高齢者が社会へ出て活躍する機会が飛躍的に増えてきている。その際、男性、女性に限らず、高齢になるに従ってトイレが近くなり、頻尿や尿漏れなどの症状に悩まされるお年寄りも増える傾向にある。
【０００４】
特に、男性の場合には、高齢者に限らず中高年層の人々においても、前立腺肥大の症状が現れたり、前立腺の病気等を患い、トイレが異常に近くなって、外出中に頻繁にトイレに立ち寄ったり、場合によっては、尿意を催して間に合わずに思わず失禁してしまうのではないかとの恐怖心から、思わず外出をためらったりする場合もある。そのため、頻尿などの症状が高齢者の社会進出を阻害する要因ともなってきている。なお、前立腺の病気等を患った場合など、自己の尿意に基づく、放尿ばかりではなく、前立腺の術後などのように、自己の尿意に基づくことなく、それ程多い量でなくとも、放尿されてしまう場合がある。
【０００５】
そこで、家庭や病院等においてはもちろんのこと、電車や車を利用したり、徒歩で外出したりするときに、気軽に着用して使用できる男性用のおむつが要望されているが、かかるニーズに応える商品がなく、成人用のパンツタイプの紙おむつなどを着用して外出しているのが現状である。
【０００６】
かかる成人用のパンツタイプの紙おむつは、布製のパンツと異なり、全体が防水性のシートで覆われた不織布等によって形成されているため、着用感が極めて悪く、ごわごわした状態となっており、歩行等に支障を来すという問題点を有していた。
【０００７】
そこで、かかる問題点を解決し得るおむつに関連する先行技術としては、例えば、特許第３３４５６０８号公報に開示されているものが既に提案されている。
【０００８】
この特許第３３４５６０８号公報に係る機能的おしめは、発泡体のプラスチック又はゴムを、尿，便の排出局部にフイットするように成形し、尿道口及び肛門に当たる部分に適当の穴をあけ、必要に応じ放出される尿の対面に収斂、流去を促す繊維束を付け、男子用では男茎の鞘、女子用では尿用の穴の上左右を通じて設けた衝立によって尿が体の方に戻らないようにすると共に、穴の縁の体に接する部分に脇洩れ防止の処置をして、尿を内袋に一時的に溜め、内袋の所要の箇所に外袋と連結して尿を流出する為の穴を明け、その穴に設けた低落差でも完全に開閉し且つ大流量を速やかに流す事の出来る両舌弁を通じて尿を外袋に、大便は体の前方にあたる部分を離脱しない様に接着し，後方は大きく開閉出来る様にした両舌弁を付けた穴を通じて便袋に採り、便袋、外袋に排出口を付けた事を特長とする男女用のおしめである。
【発明の開示】
【発明が解決しようとする課題】
【０００９】
しかしながら、上記従来技術の場合には、次のような問題点を有している。すなわち、上記特許第３３４５６０８号公報に係る機能的おしめの場合には、男女共用のおしめを提供するため、男性の使用に十分配慮されておらず、機能的に不十分であるばかりか、小用以外に大用にも適用可能としているため、おしめ自体が大型なものとなり、外出時にズボン等を着用すると、ズボンの前の部分が大きく膨らんでしまい、外観上見栄えが悪いとともに、大型のおむつが歩行動作の支障となり、外出用に適さないばかりか、着用感も悪いという問題点を有していた。
【００１０】
そこで、この発明は、上記従来技術の問題点を解決するためになされたものであり、その目的とするところは、外出時等においても、ズボンの前の部分が大きく膨らんでしまうことがなく、外観上優れているとともに、歩行動作等に支障を来すことがなく、動きが楽であり、しかも実用上十分な量の尿を吸収保持することが可能な男性用おむつを提供することにある。
【課題を解決するための手段】
【００１１】
上記の課題を解決するため、請求項１に記載された発明は、人体下腹部の少なくとも男性器の前面を覆うように着用する男性用おむつにおいて、
所定量の尿を吸収保持することが可能なように薄く形成された吸収材と、前記吸収材の少なくとも人体と反対側の面を覆う防水性シートとを備え、前記男性用おむつの人体側の面に、男性器の先端を当接又は挿入する開口部を設けたことを特徴とする男性用おむつである。
【００１２】
また、請求項２に記載された発明は、前記男性用おむつは、薄い略正方形状に形成されていることを特徴とする請求項１に記載の男性用おむつである。
【００１３】
さらに、請求項３に記載された発明は、前記男性用おむつには、その人体側表面の外周に防水用のフリルを設けたことを特徴とする請求項１又は２に記載の男性用おむつである。
【００１４】
又、請求項４に記載された発明は、前記男性用おむつには、前記開口部の下方に水平方向のフリルを上下方向に沿って複数設けたことを特徴とする請求項１乃至３のいずれかに記載の男性用おむつである。
【００１５】
更に、請求項５に記載された発明は、前記開口部の周囲には、短い円筒状のフリルを形成したことを特徴とする請求項１乃至４のいずれかに記載の男性用おむつである。
【００１６】
また、請求項６に記載された発明は、前記男性用おむつには、人体と反対側の面にずれ止め用のテープを貼り付けたことを特徴とする請求項１乃至５のいずれかに記載の男性用おむつである。
【００１７】
さらに、請求項７に記載された発明は、前記男性用おむつの外側に、当該男性用おむつの全体を覆う大サイズのおむつを併用したことを特徴とする請求項１乃至６のいずれかに記載の男性用おむつである。
【００１８】
又、請求項８に記載された発明は、前記吸収材は、少なくとも１５０ｍｌの尿を吸収保持することを特徴とする請求項１乃至７のいずれかに請求項１に記載の男性用おむつである。
【発明の効果】
【００１９】
この発明によれば、外出時等においても、ズボンの前の部分が大きく膨らんでしまうことがなく、外観上優れているとともに、歩行動作等に支障を来すことがなく、動きが楽であり、しかも実用上十分な量の尿を吸収保持することが可能な男性用おむつを提供することができる。
【発明を実施するための最良の形態】
【００２０】
以下に、この発明の実施の形態について図面を参照して説明する。
【００２１】
実施の形態１
図１及び図２はこの発明の実施の形態１に係る男性用おむつを示す構成図である。
【００２２】
この男性用おむつ１は、図１及び図２に示すように、比較的厚さの薄い平面略正方形の袋状に形成されており、所定量の尿を吸収保持することが可能な薄い矩形状に形成された吸収材２と、前記吸収材２の少なくとも人体と反対側の面、本実施の形態では吸収材２の表裏及び外周の全体を覆う防水性シート３とを備えている。上記男性用おむつ１は、例えば、１０ｃｍ四方、あるいは、縦１５ｃｍ、横１０ｃｍ程度に形成される。また、上記男性用おむつ１の人体側の面には、男性器の先端を当接又は挿入する開口部４が設けられている。この実施の形態では、開口部４が男性器の先端を当接させるように構成されている。また、上記開口部４は、男性器の先端を挿入するように短い筒状に形成したり、開口部４の下端縁に男性器の先端を保持する略Ｕ字形状の保持部を設けるように構成しても良い。
【００２３】
上記吸収材２は、図３に示すように、例えば、複数枚の不織布５、６の間に積層された高分子吸収体７から形成されており、当該高分子吸収体７の厚さや面積を調整することによって、所定量の尿を吸収保持することが可能となっている。この高分子吸収体６は、例えば、少なくとも１５０ｍｌ、望ましくは１５０〜２５０ｍｌ程度の尿を吸収保持することが可能に形成される。上記尿の保持量は、意識的な放尿によらず、主に尿漏れに対応するのに相応しい量に設定されているが、この量よりも多く設定しても良い。なお、上記高分子吸収体７が吸収保持可能な尿の量は、上記の値より多くても少なくても良いことは勿論である。また、上記高分子吸収体６には、消臭剤や芳香剤などを含浸させるようにしても良い。
【００２４】
また、上記高分子吸収体７を覆う複数枚の不織布５、６は、尿を透過するが、尿を表面側に戻さない構成とするのが望ましい。なお、上記不織布５、６の枚数も２枚に限定されないことは勿論であり、場合によっては、当該不織布５、６を使用せずに、高分子吸収体６のみで吸収材２を構成しても良い。
【００２５】
さらに、上記吸収材２を覆う防水性シート３としては、例えば、ポリエチレンフィルム等のポリマー製の薄いフィルムが用いられるが、防水性を有する薄いシート状の材料であれば、広く使用することが可能である。この防水性シート３は、吸収材２の少なくとも人体と反対側の面を覆うように構成されるが、尿の漏れが外部への透過などを考慮すれば、吸収材２の全体を覆うのが望ましい。ただし、上記防水性シート３が人体側の面に位置すると、尿の漏れ等を確実に防止することができる反面、着用感が悪くなる虞れがある。
【００２６】
そのため、上記防水性シート３には、図１に示すように、その人体側表面の外周四隅に防水用のフリル８を設けるのが望ましい。この防水用のフリル８は、図３に示すように、防水性シート３の人体側表面の外周から内側に向けて、先端部がやや起立した状態に設けられている。この防水用のフリル８は、放尿時に、尿が周囲に飛散するのを防止する役割を有している。また、上記防水性シート３には、開口部４の下方に水平方向のフリル９が上下方向に沿って複数（図示例では、３つ）設けられている。この水平方向のフリル９は、男性器への接触を和らげることにより、着用感を向上させるとともに、放尿時に、尿が周囲（特に、下方）に飛散するのを確実に防止する役割を有している。また、上記水平方向のフリル９は、例えば、男性用おむつ１の下部の１／３程度にわたって設けられる。なお、上記防水用のフリル８及び水平方向のフリル９は、例えば、不織布によってひだひだ状に形成されるが、防水用のフリル８の表面側には、その表面に防水性シートを積層するなどして、防水加工を施すのが望ましい。
【００２７】
また、上記防水性シート３の人体側表面には、図１及び図３に示すように、その中央部又は中央部よりやや上方に、男性器の先端を当接するための開口部４が穿設されている。この開口部４の深さは、任意に設定されるが、それ程深く形成する必要はなく、約１ｃｍ程度、あるいは深さは０ｃｍであってもよく、放尿時（失禁時）に、尿が吸収材２へと移動するだけの隙間があれば良い。また、上記開口部４は、その深さが３〜４ｃｍ程度に設定しても良い。上記開口部４の平面的な大きさは、男性器の先端が挿入可能なサイズを有していても勿論良いが、上述したように、放尿時に、尿が吸収材２へと移動するだけの隙間があれば良く、直径３〜４ｍｍ程の小さいな穴であっても良い。また、上記開口部４としては、男性器の先端が当接する領域を含む円形状の広い領域にわたって、直径３〜４ｍｍ程の小さいな穴を複数穿設したものであっても良い。
【００２８】
さらに、上記男性用おむつ１には、人体と反対側の面にずれ止め用のテープ１０が貼り付けられている。このずれ止め用のテープ１０としては、例えば、両面テープなどが使用可能であるが、マジックテープ（登録商標）の鉤状の小さな突起が一様に形成されたものなどを使用しても良い。このずれ止め用のテープ１０は、男性用おむつ１の外側に着用するパンツ等の下着などに、当該男性用おむつ１の固定するためのものである。
【００２９】
さらに、上記男性用おむつ１は、基本的に、単独で使用されるが、当該男性用おむつ１の外側に、当該男性用おむつ１の全体を覆う大サイズのおむつ１１を併用するように構成しても良い。特に、前立腺の疾病等の治療後においては、大サイズのおむつ１１と併用するのが望ましい。
【００３０】
この大サイズのおむつ１１としては、通常の大人用のおむつを使用することができるが、例えば、図４に示すように、長さ４８ｃｍ、幅１４ｃｍ程度に形成されたものが用いられる。この大サイズのおむつ１１を併用することによって、前立腺の病気等を治療したときなどであっても、安心して男性用おむつ１を使用することが可能となる。また、大サイズのおむつ１１を併用する場合であっても、当該大サイズのおむつ１１を常時併用する必要は勿論なく、長距離の移動時など、必要なときにのみ使用すれば良いことは勿論である。
【００３１】
また、上記大サイズのおむつ１１としては、図５に示すように、略Ｔ字形状に形成されたＴ字帯１２をそのまま使用しても良い。その際、上記Ｔ字帯１２の内面に、紙おむつの補助として使用される長方形状の吸収体を併用するようにしても良い。なお、図５中、符号１３は、Ｔ字帯１２を着用するための紐を、１４はＴ字帯１２を人体の前側で結ぶための切り込みをそれぞれ示している。上記Ｔ字帯１２を使用した場合には、着用したままの状態で、男性用おむつ１を交換することができるので便利である。
【００３２】
以上の構成において、この実施の形態に係る男性用おむつでは、次のようにして、外出時等においても、ズボンの前の部分が大きく膨らんでしまうことがなく、外観上優れているとともに、歩行動作等に支障を来すことがなく、動きが楽であり、しかも実用上十分な量の尿を吸収保持することが可能となっている。
【００３３】
すなわち、この実施の形態に係る男性用おむつ１は、人体下腹部の男性器の前面を覆うように直に着用される。その際、上記男性用おむつ１は、男性器の先端が防水性シート３の人体側表面に設けられた開口部４に、当接又は挿入するように装着される。
【００３４】
この状態で、上記男性用おむつ１を着用した使用者は、当該男性用おむつ１の上からパンツ２０を着用するとともに、ズボン等の外着を着用するが、男性用おむつ１とパンツ２０とは、ずれ止め用のテープ１０によって固定される。そのため、男性用おむつ１が着用者の男性器からずれるのを防止することができる。
【００３５】
そして、上記男性用おむつ１を着用した使用者は、家庭や病院等においてはもちろんのこと、電車や車を利用したり、徒歩などで自由に外出することが可能となる。その際、上記男性用おむつ１は、１０ｃｍ〜１４ｃｍ四方の略正方形状乃至長方形に薄く形成されているので、当該男性用おむつ１を着用した状態であっても、ズボンの前の部分が大きく膨らんでしまうことがなく、外観上優れたものとなっている。また、この男性用おむつ１は、１０ｃｍ四方の略正方形状に薄く形成されているので、男性の下腹部全体を覆うおむつのように、ごわごわすることがなく、歩行動作等に支障を来すことがなく、動きが非常に楽なものとなっている。
【００３６】
さらに、上記男性用おむつ１を着用した使用者は、外出時に尿意を催した場合であっても、そのまま用を足すことができ、非常に安心であり、尿意を催して間に合わずに思わず失禁してしまうのではないかとの恐怖心から解放される。
【００３７】
また、上記男性用おむつ１は、着用者が男性器の先端から放出した尿を、防水性シート３の人体側表面に設けられた開口部４から内部に導入し、複数枚の不織布５、６によって覆われた高分子吸収体７で確実に吸収保持するようになっている。この高分子吸収体７は、少なくとも１５０ｍｌ、望ましくは１５０〜２５０ｍｌ程度の尿を吸収保持することが可能となっているので、１回乃至複数回の意識しない尿漏れ等には十分であり、実用上十分な量の尿を吸収保持することができるものとなっている。
【００３８】
このように、上記実施の形態に係る男性用おむつ１によれば、外出時等においても、ズボンの前の部分が大きく膨らんでしまうことがなく、外観上優れているとともに、歩行動作等に支障を来すことがなく、動きが楽であり、しかも実用上十分な量の尿を吸収保持することが可能となっている。なお、使用済みの男性用おむつ１は、トイレ等において、新しいものと交換することによって、長時間にわたって外出する場合であっても、十分対応することができる。また、前立腺の病気等を患った場合など、自己の尿意に基づく、放尿ばかりではなく、前立腺の術後などのように、自己の尿意に基づくことなく、それ程多い量でなくとも、放尿されてしまう場合であっても、男性用おむつ１が尿漏れパッドとして機能して、尿量の多寡に限らず、尿を確実に吸収保持することが可能となっている。
【００３９】
実験例
次に、本発明者は、図６に示すように、上記実施の形態１に係る男性用おむつ１を試作して実際に着用し、使用後の男性用おむつ１の重量を測定することによって、吸収保持した尿の量を確認する実験を行った。なお、尿の密度は、水と同じと仮定して計測した。
【００４０】
図６及び図７は上記実験例の結果を示すものである。なお、図中、数値の単位は、グラム（ｇ）である。
【００４１】
これらの図６及び図７から明らかなように、上記実施の形態１に係る男性用おむつ１は、十分な量の尿を吸収保持することが可能であることがわかった。また、使用時に、尿が男性用おむつ１から外部に漏れたりすることはなかった。なお、図６及び図７において、使用前の試作した男性用おむつ１の重量を本発明者が測定したところ、１２．０ｇであった。
【００４２】
実施の形態２
図８及び図９はこの発明の実施の形態２を示すものであり、前記実施の形態１と同一の部分には同一の符号を付して説明すると、この実施の形態２では、男性用おむつのフリルの形状を、水平方向に沿った直線状ではなく、略Ｕ字形状に湾曲した形状に形成したり、男性用おむつ自体の形状を、略Ｕ字形状に湾曲した形状に形成するように構成されている。なお、吸収材２も略Ｕ字形状に湾曲した形状に形成されている。
【００４３】
すなわち、この実施の形態２では、図８に示すように、男性用おむつ１の防水用フリル８の内側に形成されるフリル９が、水平方向に沿った直線状ではなく、略Ｕ字形状に湾曲した形状に形成されており、当該湾曲形状のフリル９が、２重又は３重になるように設けられている。
【００４４】
このように構成することによって、尿が男性用おむつ１の外部に漏れるのをより一層確実に防止することが可能となっている。
【００４５】
また、図９に示す実施の形態では、男性用おむつ１自体の形状が、略Ｕ字形状に湾曲した形状に形成されており、それに伴って防水用フリル８及びその内側に多重に設けられるフリル９も、略Ｕ字形状に湾曲した形状に形成されている。
【００４６】
なお、図９において、使用前の試作した男性用おむつ１の重量を本発明者が測定したところ、約１５．０ｇであった。
【００４７】
その他の構成及び作用は、前記実施の形態１と同様であるので、その説明を省略する。
【００４８】
実施の形態３
図１０はこの発明の実施の形態３を示すものであり、前記実施の形態１と同一の部分には同一の符号を付して説明すると、この実施の形態３では、男性用おむつの所定量の尿を吸収保持することが可能な吸収材を、縦方向に沿って略均一に尿を吸収保持することが可能となるように構成している。
【００４９】
すなわち、本発明の男性用おむつ１は、男性が日常生活において、動いている状態での使用を考えており、当該男性用おむつ１は、男性が起立した状態にしたがって、略垂直な状態乃至、略垂直な状態であってその下端部が内側に湾曲した状態で使用される。そのため、上記男性用おむつ１は、一概には言えないものの、重量の影響によって、尿を吸収保持する吸収材の下端に偏って、尿が吸収保持される虞れを有している。
【００５０】
そこで、この実施の形態３では、吸収材２が縦方向（重力方向）に沿って略均一に尿を吸収保持することが可能となるように、図１０に示すように、重力の影響で下方に偏る傾向がある吸収材２の下端部の面積が小さくなるように、当該吸収材２を下辺が短い台形状に形成したり、吸収材２を上下方向に沿って複数に分割して、これら複数に分割された吸収材２を帯状の吸収材２０を介して、互いに連結するとともに、下方に位置する吸収材２ほど、面積が小さくなるように構成されている。
【００５１】
その他の構成及び作用は、前記実施の形態１と同様であるので、その説明を省略する。
【００５２】
実施の形態４
図１１はこの発明の実施の形態４を示すものであり、前記実施の形態１と同一の部分には同一の符号を付して説明すると、この実施の形態４では、男性用おむつの所定量の尿を吸収保持することが可能な吸収材を、縦方向に沿って略均一に尿を吸収保持することが可能とミシン目を挿入するように構成している。
【００５３】
すなわち、この実施の形態４では、吸収材２が縦方向（重力方向）に沿って略均一に尿を吸収保持することが可能となるように、図１１に示すように、重力の影響で下方に偏る傾向がある吸収材２に対して、両外側に向けて曲線状又は直線状に傾斜したミシン目２０を挿入するように構成されている。このミシン目２０は、熱溶着や超音波ミシン等によって、表裏の防水性シート３を熱等によって溶着することによって、尿の通過を阻止又は制限するようになっている。
【００５４】
その他の構成及び作用は、前記実施の形態１と同様であるので、その説明を省略する。
【００５５】
本発明では、男性用おむつと称しているが、従来の「おむつ」に限定されるものではなく、男性用の尿漏れパッドして使用可能であり、男性用の尿漏れパッドしての機能を十分に備えていることは勿論である。
【図面の簡単な説明】
【００５６】
【図１】図１はこの発明の実施の形態１に係る男性用おむつを示す正面図である。
【図２】図２はこの発明の実施の形態１に係る男性用おむつを示す背面図である。
【図３】図３はこの発明の実施の形態１に係る男性用おむつを示す断面図である。
【図４】図４はこの発明の実施の形態１に係る男性用おむつと併用される大サイズのおむつを示す構成図である。
【図５】図５はこの発明の実施の形態１に係る男性用おむつと併用されるＴ字帯を示す構成図である。
【図６】図６はこの発明の実施の形態１に係る男性用おむつの実験例を示す図表である。
【図７】図７はこの発明の実施の形態１に係る男性用おむつの実験例を示す図表である。
【図８】図８はこの発明の実施の形態２に係る男性用おむつを示す正面図である。
【図９】図９はこの発明の実施の形態２に係る男性用おむつを示す正面図である。
【図１０】図１０はこの発明の実施の形態３に係る男性用おむつを示す要部構成図である。
【図１１】図１１はこの発明の実施の形態４に係る男性用おむつを示す要部構成図である。
【符号の説明】
【００５７】
１：男性用おむつ、２：吸収材、３：防水性シート、４：開口部。
【図１】
2007061363.tif 000003
【図２】
2007061363.tif 000004
【図３】
2007061363.tif 000005
【図４】
2007061363.tif 000006
【図５】
2007061363.tif 000007
【図６】
2007061363.tif 000008
【図７】
2007061363.tif 000009
【図８】
2007061363.tif 000010
【図９】
2007061363.tif 000011
【図１０】
2007061363.tif 000012
【図１１】
2007061363.tif 000013